(57)【要約】【課題】  特に薄膜状の布の表面にナノ金属層が積層されることにより、洗浄して繰り返し使用できる美容マスクを提供する。【解決手段】  本考案の美容マスクは、顔の形状に合わせて裁断した布製シート（１１）の少なくとも一側表面にナノ金属層（１５）が被覆されることを特徴とする。【選択図】  図１
0003118395.tif 000002
【実用新案登録請求の範囲】
【請求項１】
顔の形状に合わせて裁断した布製シート（１１）の少なくとも一側表面にナノ金属層（１５）が被覆されることを特徴とする美容マスク。
【請求項２】
前記ナノ金属層（１５）がナノ金粒子層又はナノ銀粒子層であることを特徴とする請求項１に記載の美容マスク。
【請求項３】
前記ナノ金属層（１５）の表面に化粧料層（２０）が積層されることを特徴とする請求項１又は２に記載の美容マスク。
【考案の詳細な説明】
【技術分野】
【０００１】
本考案は、特に薄膜状の布の表面にナノ金属層が積層されることにより、洗浄して繰り返し使用できる美容マスクに関するものである。
【背景技術】
【０００２】
美容マスクは、広く使用されているエステ用品であり、顔に貼り付けることにより、美白、しわ取り、しみ取り、油の除去及び皮膚の乾燥を改善する等の美容効果を有する。
【０００３】
一般に従来の美容マスクは、不織布シートを顔における各部位の形状に合わせて裁断して得るので、顔全面及び各部位の、鼻部、眼部、顎部、頬部などに貼り付けることができると共に、該不織布シートの表面にはエッセンスやその他の美容液が塗られていることから、マスクを顔の皮膚上に貼り付けると、皮膚にエッセンスやその他の美容液の有効成分が浸透するので、様々な美容効果が得られる。
【考案の開示】
【考案が解決しようとする課題】
【０００４】
しかしながら、前記従来の美容マスクは、使用後、マスクに皮膚の汚れが付着していると共に、マスクの不織布シートの繊維内にまでエッセンスやその他の美容液が染み込んでいることから、マスクを洗浄して繰り返し使用することが難しいので、殆どの場合、使用後にマスクを捨てているのが現状である。故に経済的ではなく、環境汚染の原因にもなる。尚、部分的には洗浄すれば再び使用することはできるが、前回に使用したエッセンスやその他の美容液、使用時に付着した汚れなどがマスクの不織布シートの繊維内にまで染み込んでいることから、洗浄するとしても非常にめんどうであり、更に洗浄が足りない場合には、再び使用したときに美容マスクの効果に悪影響を与え、場合によっては顔の皮膚を傷める恐れがあるので、非常に危険である。
【課題を解決するための手段】
【０００５】
本考案の請求項1は、顔の形状に合わせて裁断した布製シート（１１）の少なくとも一側表面にナノ金属層（１５）が被覆されることを特徴とする美容マスクを提供するものであり、
本考案の請求項２は、前記ナノ金属層（１５）がナノ金粒子層であることを特徴とする請求項１に記載の美容マスクを提供するものであり、
本考案の請求項３は、前記ナノ金属層（１５）の表面に化粧料層（２０）が積層されることを特徴とする請求項１又は２に記載の美容マスクを提供するものである。
【考案の効果】
【０００６】
本考案は上記の課題を解決するものであり、顔の形状に合わせて裁断した布製シートの表面にナノ金（Nano Gold）粒子或いはナノ銀（Nano Silver）粒子から構成されるナノ金属層が被覆されることから、使用者は、ナノ金粒子或いはナノ銀粒子が持つ高い触媒活性による美容成分が皮膚に浸透しやすくなる効果を得ることができると共に、薄膜状の不織布シート内にエッセンスや美容液が染み込まず、汚れが付着しないので、マスクの洗浄が容易であり、繰り返し使用できる。故に使用コストをおさえることができると共に、環境保護にも寄与することができる。
【０００７】
更に、本考案の美容マスクは、顔の形状に合わせて裁断した布製シートの一側或いは両側表面にナノ金粒子層或いはナノ銀粒子層であるナノ金属層が積層されると共に、該ナノ金属層の表面に化粧料層が積層される。
【０００８】
更に、本考案の美容マスクに使用するシートは、不織布を裁断して成り、シートにおける、切込みにより使用者の鼻部と対応する位置にカバーシートが形成されると共に、眼部及び口部と対応する位置に開口が形成され、更に該シートの両側上下部にそれぞれ切込み線が形成される、構成を有するのが好ましい。
【０００９】
本考案の美容マスクは、上記構成により次に示すような効果を有する。
１．  本考案の美容マスクの表面には高い触媒活性を有するナノ金粒子層或いはナノ銀粒子層であるナノ金属層が積層されることから、美容成分が皮膚内に浸透しやすくなるので、美白、皺取り、しみ取り、油の除去及び皮膚の乾燥を改善する等の美容効果を有する。
２．  本考案の美容マスクは、その表面にナノ金属層を使用することにより、不織布シートの繊維内にエッセンス、美容液が染み込むことはなく、汚れも付着しないので、マスクの洗浄が容易であり、繰り返し使用できる。故に使用コストをおさえることができると共に、環境保護にも寄与することができる。
【考案を実施するための最良の形態】
【００１０】
以下、添付図面を参照して本考案の好適な実施の形態を詳細に説明する。
【実施例】
【００１１】
図１は本考案に係る美容マスクの斜視図であり、図２は本考案に係る美容マスクの第一実施例を示す側面断面図であり、図３は本考案に係る美容マスクの第二実施例を示す側面断面図である。
【００１２】
図１にに示すように、本考案の美容マスクは、顔の形状に合わせて裁断したマスク（１０）を有し、該マスク（１０）には通気性を有し、洗浄により繰り返し使用できる薄膜状の布製シート（１１）（本実施例では、不織布を裁断したものが用いられる）が設けられると共に、顔の形状及び五官の部位に合わせて、切込みによりシート（１１）の鼻部にカバーシート（１２）が形成され、眼部及び口部に開口（１３）が形成され、更にシート（１１）の両側上下部に切込み線（１４）が形成されるので、本考案の美容マスク（１０）は、顔が異なる形状でも、また五官の部位が異なっても簡単に貼り付けることができる。
【００１３】
図１乃至図３に示すように、本考案の美容マスクは、前記マスク（１０）における不織布シート（１１）の表面にナノ金（Nano Gold）粒子層或いはナノ銀（Nano Silver）粒子層であるナノ金属層（１５）が積層されるが、本考案では、図２に示すように該不織布シート（１１）の一側表面に、或いは図３に示すように不織布シート（１１）の両側表面にナノ金属層（１５）を積層することができる。また、本考案では更に前記ナノ金属層（１５）の表面に化粧料層（２０）が積層され、該化粧料層（２０）は、エッセンスや美容液などの各種化粧料から成るが、予めマスク（１０）の表面に設けてもよく、或いは使用時にマスク（１０）の表面にスプレーしてもよい。
【００１４】
また、前記マスク（１０）を顔の皮膚に貼り付ける時、ナノ金粒子或いはナノ銀粒子の分子の径は約１０〜２０nmであることから、触媒活性が高いので、化粧料層（２０）の有効成分が皮膚に浸透しやすくなる。その有効成分とは、例えば美白作用を有するアルブチン抽出物、皮膚に必要な微量元素を与える海草抽出物、保湿効果を有するヒアルロン酸、精神安定作用を有するアロエを含む植物抽出液等の有効美容成分である。これらは皆、美白、しわ取り、しみ取り、油の除去及び皮膚の乾燥を改善する等の美容効果を有する。
【００１５】
更に本考案によれば、前記マスク（１０）を使用した後、不織布シート（１１）の表面に設けられるナノ金属層（１５）により、化粧料層（２０）のエッセンス、美容液或いは皮膚からの汚れは、不織布シート（１１）の繊維内に付着しないことから、マスクの洗浄が極めて容易となり、繰り返し使用できるので、使用コストをおさえることができると共に、環境保護にも寄与することができる。故に本考案の美容マスクは、実用性に優れるものである。
【００１６】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１７】
【図１】本考案に係る美容マスクの斜視図である。
【図２】本考案に係る美容マスクの第一実施例を示す側面断面図である。
【図３】本考案に係る美容マスクの第二実施例を示す側面断面図である。
【符号の説明】
【００１８】
１０        マスク
１１        シート
１２        カバーシート
１３        開口
１４        切込み線
１５        ナノ金属層
２０        化粧料層
【図１】
0003118395.tif 000003
【図２】
0003118395.tif 000004
【図３】
0003118395.tif 000005